(57)【要約】  本開示は、プライバシーアプリケーションデバイス、及びそれを操作するための方法を提供する。プライバシーアプリケーションデバイスは、電気又は磁気泳動媒体と、コントローラとを備え、透明な状態と不透明な状態との間で切り替え可能である。プライバシーアプリケーションデバイスを操作するための方法は、交流電圧を電気又は磁気泳動媒体に印加することと、電圧の振幅及び持続時間のうちの少なくとも１つを制御して、プライバシーアプリケーションデバイスを透明な状態と不透明な状態との間で切り替えることと、電圧を除去することとを含む。【選択図】図１
2021522533.tif 000002
【特許請求の範囲】
【請求項１】
プライバシーアプリケーションデバイス（１００、６０１）であって、
電気又は磁気泳動媒体（１０２）、開孔（２６０）、少なくとも２つの電極（２０５、２０６、２０８、２０９、２１０、２１１、２１２、５０５、５０６）を含むシャッターデバイス（２００、５００）と、
コントローラユニット（３００）と
を備え、
前記電気又は磁気泳動媒体（１０２）が可動荷電粒子（２３０）及び搬送媒体（２４０）を含み、透明な状態と不透明な状態との間で切り替え可能なプライバシーアプリケーションデバイス（１００、６０１）。
【請求項２】
前面基板（２０２，５０２）、背面基板（２０１，５０１）、及び少なくとも１つのシール（２０４，５０４）を更に備え、前記電気又は磁気泳動媒体（１０２）が、前記少なくとも１つのシール（２０４，５０４）、前記前面基板（２０２，５０２）、及び前記背面基板（２０１，５０１）によって画定された中断されない空間に囲まれている、請求項１に記載のプライバシーアプリケーションデバイス（１００，６０１）。
【請求項３】
前記少なくとも２つの電極（２０５，２０６，２０８，２０９，２１０，２１１，２１２，５０５，５０６）の各々が、前面基板（２０２，５０２）、背面基板（２０１，５０１）、及び／又は少なくとも１つのシール（２０４，５０４）のうちの少なくとも１つの上に別々に位置付けられる、請求項１又は２に記載のプライバシーアプリケーションデバイス（１００，６０１）。
【請求項４】
前記シャッターデバイスが、少なくとも２つのセクションを備え、前記セクションのうちの１つが、前記シャッターデバイス（２００，５００）の前記開孔（２６０）に隣接して位置付けられる、請求項１から３のいずれか一項に記載のプライバシーアプリケーションデバイス（１００，６０１）。
【請求項５】
前記少なくとも２つの電極（２０５，２０６，２０８，２０９，２１０，２１１，２１２，５０５，５０６）が、前記シャッターデバイス（２００，５００）の異なるセクションに別々に位置付けられる、請求項４に記載のプライバシーアプリケーションデバイス（１００，６０１）。
【請求項６】
前記少なくとも２つの電極（２０５，２０６，２０８，２０９，２１０，２１１，２１２，５０５，５０６）の各々、前記搬送媒体（２４０）、前記前面基板（２０２，５０２）、及び前記背面基板（２０１，５０１）が、典型的には全体で、少なくとも９０％、典型的には少なくとも９５％、及び更に典型的には少なくとも９９％の光透過率を有する、請求項２から５のいずれか一項に記載のプライバシーアプリケーションデバイス（１００，６０１）。
【請求項７】
前記可動荷電粒子（２３０）が着色されている、請求項１から６のいずれか一項に記載のプライバシーアプリケーションデバイス（１００，６０１）。
【請求項８】
前面基板（２０２，５０２）及び背面基板（２０１，５０１）が、セラミック材料及びポリマー材料のうちの１つを含むこと、前記可動荷電粒子（２３０）が、無機材料又はポリマー材料の１つを含むこと、前記搬送媒体（２４０）が、非ポリマー有機材料又はポリマー材料のうちの１つを含むこと、並びに前記少なくとも２つの電極（２０５，２０６，２０８，２０９，２１０，２１１，２１２，５０５，５０６）が、透明な導電性材料を含むことのうちの１つ、２つ又はそれ以上が当てはまる、請求項１から７のいずれか一項に記載のプライバシーアプリケーションデバイス（１００，６０１）。
【請求項９】
前記電気又は磁気泳動媒体（１０２）が、空間に閉じ込められ、前面基板と背面基板との間の距離間隔が、１μｍから１００μｍ、典型的には２μｍから５０μｍ、及びより典型的には２μｍから２５μｍである、請求項１から８のいずれか一項に記載のプライバシーアプリケーションデバイス（１００，６０１）。
【請求項１０】
前記コントローラユニット（３００）が、
電圧を印加又は除去することによって、前記少なくとも２つの電極（２０５，２０６，２０８，２０９，２１０，２１１，２１２，５０５，５０６）の極性を個別に設定するように構成されたマイクロコントローラユニットユニット（３０１）と、
電圧変換機要素（３０２）と、
スイッチング要素（３０３）と
を備え、
前記スイッチング要素（３０３）が、前記マイクロコントローラユニットユニット（３０１）によって電気的に制御可能である、請求項１から９のいずれか一項に記載のプライバシーアプリケーションデバイス（１００，６０１）。
【請求項１１】
請求項１から１０のいずれか一項に記載のプライバシーアプリケーションデバイス（１００，６０１）を操作するための方法であって、
電圧を印加又は除去することによって、前記少なくとも２つの電極（２０５，２０６，２０８，２０９，２１０，２１１，２１２，５０５，５０６）の極性を個別に設定することと、
前記電圧の振幅及び持続時間のうちの少なくとも１つを制御して、前記プライバシーアプリケーションデバイス（１００，６０１）を透明な状態と不透明な状態との間で切り替えることと
を含む方法。
【請求項１２】
前記電圧の前記振幅が、＋／−８０Ｖ未満の範囲、典型的には＋／−５０Ｖ未満の範囲、より典型的には＋／−３０Ｖ未満の範囲にある、請求項１１に記載の方法。
【請求項１３】
少なくとも１つのカメラユニット（６２１）の前方に光学的に位置付けられたプライバシーシャッターのための、請求項１から１０のいずれか一項に記載のプライバシーアプリケーションデバイス（１００，６０１）の使用。
【請求項１４】
少なくとも１つのカメラユニット（６２１）を備える電子デバイス（６０２）と、
請求項１から１０のいずれか一項に記載のプライバシーアプリケーションデバイス（１００，６０１）と
を備え、
前記プライバシーアプリケーションデバイス（１００，６０１）が、前記少なくとも１つのカメラユニット（６２１）の前方に位置付けられるシステム。
【請求項１５】
前記プライバシーアプリケーションデバイス（１００，６０１）が、前記電子デバイス（６０２）から操作上分離され、ユーザによって物理的にのみ操作可能である、請求項１４に記載のシステム。
【発明の詳細な説明】
【技術分野】
【０００１】
［０００１］本開示の実施形態は、プライバシーアプリケーションデバイス、プライバシーアプリケーションデバイスの操作方法、プライバシーアプリケーションデバイスを含むシステム、及びカメラユニットにおけるその使用に関する。本開示の実施形態は、特に、プライバシーアプリケーションにおいて、より具体的には、カメラ用のプライバシーシャッターにおいて使用される方法及び装置に関する。
【背景技術】
【０００２】
［０００２］プライバシー及びセキュリティは、電子デバイスの設計においてますます重要なトピックになりつつある。内蔵カメラは、携帯電話、タブレット、及びラップトップコンピュータを含む多くの電子デバイスに広く普及しており、カメラへの無許可のアクセスに関するプライバシー及びセキュリティ問題をもたらしている。
【０００３】
［０００３］電子デバイス内のカメラへの無許可のアクセスからユーザを保護するための様々なデバイス及び方法が存在する。
【０００４】
［０００４］そのようなデバイスの１つは、カメラユニットの前方にスライドする不透明なシャッター部品を含む機械的シャッターであり、カメラが使用されていないときにはカバーされるようになっている。機械的シャッターは、低コスト、外部制御からの分離、印加電力なしでの安定性、及び開放時の１００％の透過率という利点を有する。しかしながら、機械的シャッターは、かなりの厚さと幅を有しており、狭いスクリーンベゼルと薄いハウジングを備えたますますコンパクトになりつつある電子デバイスへの統合には不適切な場合がある。更に、機械的シャッターは、破損しやすい小さな可動部品を含む。
【０００５】
［０００５］別のそのようなデバイスは、ポリマー分散液晶（ＰＤＬＣ）を含むシャッターである。ＰＤＬＣシャッターは、電圧の印加を通して光透過状態と光散乱状態との間で切り替えられるＰＤＬＣ材料の層を含む。ＰＤＬＣシャッターは、固体状態であり、電気的に制御可能である。しかしながら、ＰＤＬＣ材料が光散乱状態にとどまるためには、電圧の連続供給が維持される。更に、ＰＤＬＣ材料は、光透過状態では、透過率が８５％以下であり、これによりカメラ性能が低下する。加えて、ＰＤＬＣ材料のヘイズレベルは、通常、透明な状態では５％以上と高く、カメラ記録中にぼけ効果を生じる。
【０００６】
［０００６］したがって、電子デバイス内のカメラへの無許可のアクセスからのプライバシー及びセキュリティを改善するための装置及び方法が必要とされている。本開示は、特に、装置又は方法が印加電圧がなくても安定しうるように、プライバシー及びセキュリティを改善することを目的とする。
【発明の概要】
【０００７】
［０００７］上記に照らして、プライバシーアプリケーションデバイス、プライバシーアプリケーションデバイスの操作方法、プライバシーアプリケーションデバイスを含むシステム、及びカメラユニットにおけるプライバシーアプリケーションデバイスの使用が提供される。本開示の更なる態様、利益、及び特徴は、特許請求の範囲、明細書、及び添付の図面から明らかである。
【０００８】
［０００８］本開示の一態様によれば、プライバシーアプリケーションデバイスが提供される。プライバシーアプリケーションデバイスは、電気又は磁気泳動媒体、開孔、及び少なくとも２つの電極を含むシャッターデバイスと、コントローラユニットとを備える。更に、電気又は磁気泳動媒体は、可動荷電粒子及び搬送媒体を含み、プライバシーアプリケーションデバイスは、透明な状態と不透明な状態との間で切り替え可能である。
【０００９】
［０００９］本開示の更なる態様によれば、プライバシーアプリケーションデバイスを操作するための方法が提供される。この方法は、電圧を印加又は除去することによって、少なくとも２つの電極の極性を個別に設定することと、プライバシーアプリケーションデバイスを透明な状態と不透明な状態との間で切り替えるために、電圧の振幅及び持続時間のうちの少なくとも１つを制御することとを含む。
【００１０】
［００１０］本開示の更なる態様によれば、プライバシーアプリケーションデバイスの使用が提供される。本使用は、少なくとも１つのカメラユニットの前方に光学的に位置合わせされたプライバシーシャッターのためのプライバシーアプリケーションデバイスを使用することを含む。
【００１１】
［００１１］本開示の更なる態様によれば、システムが提供される。このシステムは、少なくとも１つのカメラユニット及びプライバシーアプリケーションデバイスを備える電子デバイスを含み、プライバシーアプリケーションデバイスは、少なくとも１つのカメラユニットの前方に位置付けられる。
【００１２】
［００１２］実施形態はまた、開示された方法を実行するための装置を対象とし、記載された各方法態様を実行するための装置部分を含む。これらの方法の態様は、ハードウェア構成要素、適切なソフトウェアによってプログラムされたコンピュータ、２つの任意の組み合わせ、又は他の任意の方法によって実行されうる。更に、本開示による実施形態はまた、記載された装置を操作するための方法を対象とする。記載された装置を操作するための方法は、装置のあらゆる機能を実行するための方法の態様を含む。
【００１３】
［００１３］本開示の上記の特徴を詳細に理解することができるように、実施形態を参照することによって、上で簡単に概説した本開示のより具体的な説明が得られうる。添付の図面は、本開示の実施形態に関連し、以下に記載される。
【図面の簡単な説明】
【００１４】
【図１】本明細書に記載の実施形態に係るプライバシーアプリケーションデバイスの概略図を示す。
【図２】図２、及び図２−１から図２−３は、本明細書に記載の実施形態に係るプライバシーアプリケーションデバイスのシャッターデバイスの概略断面図を示す。
【図３】本明細書に記載の実施形態に係るプライバシーアプリケーションデバイスのシャッターデバイスの概略断面図を示す。
【図４】本明細書に記載の実施形態に係るプライバシーアプリケーションデバイスのシャッターデバイスの概略断面図を示す。
【図５】本明細書に記載の実施形態に係るプライバシーアプリケーションデバイスのシャッターデバイスの概略断面図を示す。
【図６】本明細書に記載の実施形態に係るプライバシーアプリケーションデバイスのシャッターデバイスの概略断面図を示す。
【図７】本明細書に記載の実施形態に係るプライバシーアプリケーションデバイスのシャッターデバイスの概略断面図を示す。
【図８】本明細書に記載の実施形態に係るプライバシーアプリケーションデバイスのシャッターデバイスの概略断面図を示す。
【図９】本明細書に記載の実施形態に係るプライバシーアプリケーションデバイスのシャッターデバイスの概略断面図を示す。
【図１０】図１０、及び図１０−１から図１０−３は、本明細書に記載の実施形態に係るプライバシーアプリケーションデバイスのシャッターデバイスの概略断面図を示す。
【図１１】本明細書に記載の実施形態に係るプライバシーアプリケーションデバイスのためのコントローラの概略図を示す。
【図１２】本明細書に記載の更なる実施形態に係るプライバシーアプリケーションデバイスのシャッターデバイスの概略断面図を示す。
【図１３】本明細書に記載の実施形態に係る、カメラを含む電子デバイスと、プライバシーアプリケーションデバイスとを含むシステムの概略図を示す。
【図１４】本明細書に記載の実施形態に係るプライバシーアプリケーションデバイスを操作するための方法のフローチャートを示す。
【発明を実施するための形態】
【００１５】
［００１４］本開示の様々な実施形態について、これより詳細に参照する。これらの実施形態の１つ又は複数の実施例が、図中に示されている。以下の図面の説明では、同じ参照番号は同じ構成要素を指す。一般に、個々の実施形態に関する相違点のみが説明される。各実施例は、本開示の説明のために提供され、本開示の限定を意味するものではない。更に、１つの実施形態の一部として図示又は説明される特徴は、他の実施形態で又は他の実施形態と併せて使用することができ、更に別の実施形態を創出する。説明は、そのような修正及び変形を含むことが意図される。
【００１６】
［００１５］日常生活における電子デバイスの使用の増加に伴い、不正アクセスからの電子デバイスの保護への関心が近年高まっている。特に、今日では、携帯電話、ラップトップコンピュータ、タブレットなどの電子デバイスに含まれるカメラによってキャプチャされたデータが、許可されていないアクセスから保護されることが望ましい。本開示は、電子デバイス内のカメラによる画像の捕捉を可能にするか、又は制限するために、少なくともシール、前面基板、及び背面基板によって画定される中断されない空間（ｖｏｌｕｍｅ）に囲まれている、電気又は磁気泳動媒体を使用する。
【００１７】
［００１６］本開示の様々な実施形態がより詳細に説明される前に、本明細書で使用されるいくつかの用語及び表現に関するいくつかの態様が説明される。
【００１８】
［００１７］本開示では、「シャッターデバイス内の開孔」は、カメラが光を受け取り、画像を捕捉することができるシャッターデバイスの領域として理解されうる。以下、「透明な状態」という用語は、シャッターデバイス２００の少なくとも１つのセクション、特に開孔２６０に隣接するセクションが遮られない状態として理解されうる。更に、「透明な状態」という用語は、画像を捕捉するのに十分な光を受け取るように、シャッターデバイス２００の開孔２６０に隣接する、図において典型的にはセクションＢと呼ばれる、シャッターデバイス２００の少なくとも１つのセクションを通して十分な光透過が生じる状態として理解されうる。「透明な状態」にあるとき、シャッターデバイス２００の、図ではセクションＢと呼ばれる少なくとも１つのセクションは、例えば、７０％〜１００％、典型的には８０％〜１００％、より典型的には９０％〜１００％の全透過率を有しうる。「透明な状態」にあるとき、シャッターデバイス２００の少なくとも１つのセクションは、約４０％未満、典型的には約３０％未満、より典型的には約２０％未満の「透過ヘイズ」を有しうる。
【００１９】
［００１８］「シャッターデバイスのセクション」という用語は、少なくともシール、前面基板、及び背面基板によって画定される、中断されない空間の一部として理解されるべきである。更に、「開孔２６０に隣接するシャッターデバイスのセクション」という用語は、図に例示的に示されているように、シャッターデバイス２００の開孔２６０と位置合わせされたシャッターデバイスのセクションとして理解されるべきである。前面基板及び／又は他の概して透明な層は、開孔２６０と開孔２６０に隣接するシャッターデバイスのセクションとの間に位置付けられてもよい。すなわち、この文脈において本明細書で使用される「隣接する」という用語は、セクション及び開孔が隣り合わせである（ｎｅｘｔ  ｎｅｉｇｈｂｏｒｓ）ことを必ずしも必要としない。
【００２０】
［００１９］「全透過率」（Ｔ）という用語は、材料を通過する入射光の量として理解されるべきである。「全反射」という用語は、材料から反射される入射光の量に関する。「全吸収」という用語は、材料によって吸収される入射光の量に関する（入射光＝全透過率＋全反射＋全吸収）。更に、「正透過率」（Ｔｓ）という用語は、散乱されることなく材料を通過し、入射光方向と同じ方向に継続する入射光の量を表す。「透過ヘイズ」は、「全透過率」の量から「正透過率」を減算したものを「全透過率」の量で除算したもので割ったものの１００倍（１００（Ｔ−Ｔｓ）／Ｔ）に等しいと理解されるべきである。
【００２１】
［００２０］「不透明な状態」という用語は、画像を区別できないようにするために、シャッターデバイス２００内の開孔２６０に典型的には隣接し、典型的には図でセクションＢと呼ばれる、シャッターデバイス２００の少なくとも１つのセクションが遮られる状態として理解されるべきである。更に、「不透明な状態」という用語は、十分な光が、典型的にはシャッターデバイス２００の開孔２６０に隣接し、かつ典型的には図においてセクションＢと呼ばれる、シャッターデバイス２００の少なくとも１つのセクションで遮断され、散乱され、又は屈折される状態として理解されるべきである。「不透明な状態」にあるとき、典型的にはシャッターデバイス２００の開孔２６０に隣接する、シャッターデバイス２００の少なくとも１つのセクションは、例えば、４０％未満、典型的には３０％未満、及びより典型的には２０％未満の全透過率を有しうる。「不透明な状態」にある場合、シャッターデバイス２００内の開孔２６０に相関するシャッターデバイス２００の少なくとも１つのセクションＢを通る、数学モデルＬａｂ色空間に従った、３次元Ｌ（明度）、ａ、及びｂ内のすべての知覚可能な色のうちの１つを含む色を観察することができる。例えば、知覚可能な色は、黒、白、緑、赤、青、又は黄色でありうる。
【００２２】
［００２１］本開示において、「可動荷電粒子」という用語は、電荷（正又は負の電荷）を有しうる粒子として理解されうる。更に、「可動荷電粒子」という用語は、数学モデルＬａｂ色空間に従った３次元Ｌ（明度）、ａ、及びｂにおけるすべての知覚可能な色のうちの１つを含む色を有しうる粒子を指すことがある。例えば、知覚可能な色は、黒、白、緑、赤、青、又は黄色のうちの１つでありうる。他の実施形態では、「黒」及び「白」は、本明細書では色と見なされない。
【００２３】
［００２２］更に、「可動荷電粒子」という用語は、外部刺激によって電気又は磁気泳動媒体１０２中のこれらの位置及び状態を変化させる可能性のある粒子を指す。外部刺激は、電場、磁場、これらの組み合わせなどでありうる。状態は、圧縮されたフロック状態と分散状態との間で変化することがあり、又はその逆でありうる。「圧縮されたフロック状態」という用語は、可動荷電粒子がまとまって凝集し、それによって典型的には可動荷電粒子の１つ又は複数のグループを形成しうる状態として理解されうる。更に、「圧縮されたフロック状態」という用語は、可動荷電粒子が少なくとも１つの電極に近接している又は上に留まりうる状態を指すことがある。「分散状態」という用語は、可動荷電粒子が、電気又は磁気泳動媒体１０２中に分布し又は広がりうる状態として理解されうる。「電気泳動の（ｅｌｅｃｔｒｏｐｈｏｒｅｔｉｃ）」という用語は、「電気泳動（ｅｌｅｃｔｒｏｐｈｏｒｅｓｉｓ）」という用語に関連しており、空間的に均一な電場の影響下での搬送媒体２０４に対する分散された可動荷電粒子２３０の運動として理解されうる。同様に、「磁気泳動の（ｍａｇｎｅｔｏｐｈｏｒｅｔｉｃ）」という用語は、「磁気泳動（ｍａｇｎｅｔｏｐｈｏｒｅｓｉｓ）」という用語に関連しており、磁場の影響下での搬送媒体２４０に対する、磁性又は磁化可能な材料でありうる、分散された可動荷電粒子２３０の運動として理解されうる。
【００２４】
［００２３］「電極」という用語は、正又は負の極性の電圧が印加されうる導体として理解されうる。この点に関して、電極の極性は、電圧を印加又は除去することによって確立又は変更することができる。本明細書で使用される「交流電圧を印加又は除去する」という用語は、予め定義されたスケジュールに従って電極の極性を変更する電圧を印加又は除去することとして理解すべきである。ここで、電圧を変更するスケジュールは、交流電圧と呼ばれることもある。したがって、本明細書で理解されるように、交流電圧の周波数は、媒体内の可動荷電粒子が対応する電場の変化に追従できるように、０．５Ｈｚ、１Ｈｚ、又は更には２Ｈｚよりも大きくてもよい。更に、本明細書で使用される交流電圧は、スイッチングプロセスごとに電極当たり１つの電圧の変更のみを含みうる（スイッチングプロセスは、プライバシーアプリケーションデバイスの透明な状態から不明瞭な状態への変化、又はその逆である）。
【００２５】
［００２４］「離間した電極」という用語は、空間である距離だけ分離されうる電極（例えば、縞状）として理解されうる。例えば、距離は、例えば、少なくとも３μｍ、典型的には少なくとも６μｍ、及びより典型的には少なくとも１０μｍでありうる。代替的に又は追加的に、距離は、例えば、１００μｍ未満、典型的には９０μｍ未満、及びより典型的には８０μｍ未満でありうる。本明細書に記載の電極は、一般に、アレイ状に配置されうる。
【００２６】
［００２５］実施形態では、「電気又は磁気泳動媒体１０２」は、少なくともシールによって画定される中断されない空間に囲まれており、「前面基板及び背面基板」は、少なくともシャッターデバイス２００のシール、背面基板、及び前面基板によって画定される空間を完全に充填する電気又は磁気泳動媒体１０２を指す。
【００２７】
［００２６］以下では、用語「操作上分離される」は、ユーザとの直接的な物理的相互作用による以外の外部システム又はデバイスによってプライバシーアプリケーションデバイス１００を操作することが許可されないものとして理解されうる。「操作する」は、プライバシーアプリケーションデバイス１００を、透明な状態と不透明な状態との間で、及びその逆に切り替えること、並びに、プライバシーアプリケーションデバイス１００を部分的に透明な状態に切り替えることを含みうる。「操作上分離」は、光学操作、電気操作、又はユーザとの物理的相互作用以外の外部システム若しくはデバイスによる物理的操作からの分離を含みうる。したがって、本開示のプライバシーアプリケーションデバイスは、ユーザの手動制御以外の任意の制御に対して完全に操作上分離されうる。
【００２８】
［００２７］図１は、本明細書に記載の実施形態に係るプライバシーアプリケーションデバイス１００の概略図を示す。
【００２９】
［００２８］プライバシーアプリケーションデバイス１００は、シャッターデバイス２００とコントローラ３００とを含む。シャッターデバイス２００は、電気又は磁気泳動媒体１０２及び開孔２６０を備えうる。シャッターデバイス２００の開孔２６０は、カメラが光を受け取り画像を捕捉することができる電気又は磁気泳動媒体１０２の少なくとも一部と位置合わせされうる。本明細書に記載の他の実施形態と組み合わせることができるいくつかの実施形態によれば、プライバシーアプリケーションデバイス１００は、物理的なユーザ操作可能制御部１０６を更に含みうる。ユーザ操作可能制御部１０６は、ユーザが、プライバシーアプリケーションデバイス１００を透明な状態から不透明な状態に、及びその逆に切り替えることを可能にする。
【００３０】
［００２９］ユーザ操作可能制御部１０６は、トグルスイッチ、押しボタン、及び容量性のタッチセンサのうちの任意の１つを含みうる。ユーザ操作可能制御部１０６は、コントローラユニット３００とは別々に設けられ、かつ電気的に接続されうる。あるいは、ユーザ操作可能制御部１０６は、コントローラユニット３００に統合されてもよい。
【００３１】
［００３０］ユーザ操作可能制御部１０６は、プライバシーアプリケーションデバイス１００がユーザによって物理的に操作可能であるように、プライバシーアプリケーションデバイス１００の操作が任意の他の電気システムから操作上分離されることを可能にする。
【００３２】
［００３１］本明細書に記載の他の実施形態と組み合わせることができるいくつかの実施形態によれば、プライバシーアプリケーションデバイス１００は、ステータスインジケータ１０７を更に備えうる。ステータスインジケータ１０７は、プライバシーアプリケーションデバイス１００の現在の状態をユーザに示す役割を果たす。ステータスインジケータ１０７は、電気的インジケータ、例えば、発光ダイオード（ＬＥＤ）を含んでもよく、シャッターデバイス２００又はコントローラユニット３００のいずれか１つに統合されてもよい。
【００３３】
［００３２］図２、図３、及び図４は、本明細書に記載の更なる実施形態に係るシャッターデバイス２００の概略断面図を示す。
【００３４】
［００３３］シャッターデバイス２００は、背面基板２０１及び前面基板２０２を含む。電気又は磁気泳動媒体１０２は、背面基板２０１と前面基板２０２との間に設けられうる。背面基板２０１及び前面基板２０２の一方又は両方は、セラミック材料又はポリマー材料を含みうる。例えば、背面基板２０１及び前面基板２０２は、ガラスを含みうる。セラミック材料は、増大した安定性及び良好な機械的特性を提供し、一方、ポリマー材料は、高い耐久性及び製造の容易さを提供する。セラミック材料及びポリマー材料は共に良好な光学性能を示す。
【００３５】
［００３４］シャッターデバイス２００は、少なくとも１つのシール２０４を更に備えうる。シール２０４は、背面基板２０１及び前面基板２０２と共に電気又は磁気泳動媒体１０２を囲むように、背面基板２０１と前面基板２０２との間に設けられうる。シールは、通常、シャッターデバイスの側面を形成する。実施形態では、電気及び磁気泳動媒体１０２は、背面基板２０１、前面基板２０２、及びシール２０４によって画定される中断されない空間に囲まれている。更に、電気及び磁気泳動媒体１０２は、シャッターデバイス２００のシール、前面基板、及び背面基板によって画定される空間を完全に満たすことができるだろう。シール２０４は、背面基板２０１と、前面基板２０２と、シール２０４との間に形成された中断されない空間内に、電気又は磁気泳動媒体１０２を導入するための充填開口部を提供するように形成されうる。
【００３６】
［００３５］本明細書に記載の他の実施形態と組み合わせることができるいくつかの実施形態によれば、シャッターデバイス２００は、図３に示すように背面基板２０１及び前面基板２０２上に、又は図２及び図４にそれぞれ示すように同じ背面基板２０１又は前面基板２０２上に別々に位置付けられうる少なくとも２つの電極２０５、２０６を含む。少なくとも２つの電極２０５、２０６は、それぞれ、背面基板２０１と前面基板２０２の異なる領域をカバーする。
【００３７】
［００３６］電極２０５及び２０６は、シャッターデバイス２００の異なるセクションに別々に位置付けられ、これらのセクションのうちの１つは、シャッターデバイス２００の開孔２６０に隣接しうる。本明細書に記載の他の実施形態と組み合わせることができるいくつかの実施形態によれば、シャッターデバイス２００は、少なくとも２つのセクション、例えば、図に示すセクションＡ及びＢからなりうる。例えば、図２によれば、セクションＡは、前面基板及び背面基板、並びに仮想ラインＬ１及びＬ２によって限定されてもよく、ここで、ラインＬ１の少なくとも一部は、第１のシール２０４の壁と一致する。実施形態では、電極２０５は、シャッターデバイス２００のセクションＡ内に大部分が又は完全に位置付けられる。更に、図２に係るセクションＢは、前面基板及び背面基板、並びに仮想ラインＬ２及びＬ３によって限定されてもよく、ここで、ラインＬ３の少なくとも一部は、第２のシール２０４の境界と一致する。実施形態では、電極２０６は、シャッターデバイス２００の開孔２６０と相関するシャッターデバイス２００のセクションＢに大部分が又は完全に位置付けられる。従って、セクションＢは、カメラが光を受け取り、画像を捕捉することができる開孔２６０と位置合わせされる。
【００３８】
［００３７］２つのセクションは、図では等しいサイズであるように示されているが、１つのセクションがより大きいこともありうる。特に、開孔（「セクションＢ」）と位置合わせされたセクションは、プライバシーアプリケーションが透明な状態にある場合に可動荷電粒子を収集すると想定される他のセクション（「セクションＡ」）よりも大きくなりうる。
【００３９】
［００３８］電極２０５、２０６は、これらの間に電圧を印加することによって、その時点で異なる電荷を有することができる。例えば、電極２０５に正電荷が供給される場合、電極２０６には、それぞれの電圧を印加することによって異なる電荷（例えば、負）を供給することができる。１つの電極はまた、ゼロ電位であってもよい。図３に示す実施形態の場合、少なくとも２つの電極２０５、２０６は、シャッターデバイス２００のセクションＡにおいて垂直に重なり合うことができる。しかしながら、少なくとも２つの電極２０５、２０６のうちの１つのみが、シャッターデバイス２００のセクションＢに配置され、シャッターデバイス２００の開孔２６０と位置合わせされる。
【００４０】
［００３９］本明細書に記載の他の実施形態と組み合わせることができるいくつかの実施形態では、シャッターデバイス２００は、少なくとも２つの電極２０５、２０６のうちの１つ又は複数を覆い保護するための絶縁層２０３を更に含みうる。絶縁層２０３の材料は、例えば、アクリル樹脂、ポリイミド樹脂を含み、アモルファスフッ素樹脂を用いることができる。いずれの実施形態においても、電極の少なくとも一方を覆って保護する絶縁層２０３が存在しうる。単純化のために、以下、絶縁層は、更なる実施形態では示されていない。しかしながら、絶縁層は、本明細書に記載される全ての実施形態において提供されうる。
【００４１】
［００４０］あるいは、本実施形態にも限定されないが、少なくとも２つの電極は、電気又は磁気泳動媒体と直接接触していることもある。
【００４２】
［００４１］電極２０５、２０６は、透明な導電性材料、例えばインジウム−スズ酸化物（ＩＴＯ）から形成されうる。電極２０５、２０６は、物理気相堆積プロセス、典型的にはスパッタ堆積プロセスによって堆積されうる。
【００４３】
［００４２］シャッターデバイス２００は、電極パッドを更に備えうる。図２に示されるような電極パッド２０７は、シャッターデバイス２００とコントローラユニット３００との間の電気的接続の取り付けを可能にする。電極パッド２０７は、電極２０５、２０６の少なくとも１つに含まれうる。あるいは、電極パッド２０７は、電極２０５、２０６のうちの少なくとも１つの上に堆積された層を含み、セラミック（インジウム−スズ酸化物）又は金属（スズ、銅、銀、金、又はこれらの合金）などの導電性材料を含みうる。
【００４４】
［００４３］電気又は磁気泳動媒体１０２は、可動荷電粒子２３０と搬送媒体２４０との混合物を含みうる。可動荷電粒子２３０は、着色された粒子であってもよく、又は分散状態又は圧縮されたフロック状態で色を示す粒子であってもよい。したがって、色は、黒、白、緑、赤、青、黄、又はこれらの組み合わせであってもよい。他の実施形態では、特に黒は色とは見なされない。可動荷電粒子は、電気及び／又は磁気泳動法に使用することができる。
【００４５】
［００４４］本開示では、電気泳動（ｅｌｅｃｔｒｏｐｈｏｒｅｓｉｓ）は、空間的に均一な電場の影響下での搬送媒体２０４に対する分散された可動荷電粒子２３０の運動である。同様に、磁気泳動（ｍａｇｎｅｔｏｐｈｏｒｅｓｉｓ）は、磁場の影響下での搬送媒体２４０に対する磁気又は磁化可能な材料でありうる、分散された可動荷電粒子２３０の運動である。
【００４６】
［００４５］可動荷電粒子２３０は、無機材料又はポリマー材料を含みうる。無機材料を含む可動荷電粒子２３０は、金属酸化物粒子（例えば、二酸化チタン）又は金属コロイド粒子でありうる。
【００４７】
［００４６］色及び安定性に関して、表面プラズモン共鳴による色強度を有する金属コロイド粒子が、典型的には、可動荷電粒子２３０として使用される。以下、金属コロイド粒子の例について説明される。
【００４８】
［００４７］金属コロイド粒子の金属の例は、貴金属及び銅（以下、総称して金属という）を含む。貴金属の例は、金、銀、ルテニウム、ロジウム、パラジウム、オスミウム、イリジウム、白金でありうる。中でも、金、銀、白金が通常用いられる。
【００４９】
［００４８］金属コロイド粒子を得る方法は、例えば、金属イオンを還元した後に、金属原子及び金属クラスタを介してナノ粒子を調製する化学的方法、並びにバルク金属を不活性ガス中でコールドトラップを用いて蒸発させることにより生成された粒子形態の金属をトラップする物理的方法、又は真空蒸発によりポリマー薄膜上に金属薄膜を形成した後に、加熱により金属薄膜を破壊し、続いて金属粒子をポリマー中に固相状態で分散させる物理的方法などである。
【００５０】
［００４９］金属コロイド粒子は、上記金属のうちの１つ以上の化合物から形成されうる。金属の化合物は、塩化金酸、硝酸銀、酢酸銀、過塩素酸銀、塩化白金酸、塩化白金酸カリウム、塩化第二銅、酢酸第二銅、又は硫酸第二銅でありうる。
【００５１】
［００５０］金属コロイド粒子は、搬送媒体２４０に溶存した上記の金属化合物を金属に還元することによって、搬送媒体２４０に分散剤で保護された金属コロイド粒子の分散体の形態で得ることができる。金属コロイド粒子はまた、分散液の溶媒を更に除去することによって、固体ゾルの形態で得られてもよい。搬送媒体２４０に金属化合物を溶解させる際には、ポリマー量の顔料分散剤が用いられてもよい。ポリマー量の顔料分散剤を用いることにより、分散剤で保護された安定した金属コロイド粒子を得ることができる。
【００５２】
［００５１］金属コロイド粒子を用いる時には、搬送媒体２４０中に分散体の形態を有する上記の金属コロイド粒子、又は固体ゾルの形態を有する上記の金属コロイド粒子を搬送媒体２４０中に再分散させることにより得られるものを用いることができる。
【００５３】
［００５２］搬送媒体２４０中に分散体の形態を有する金属コロイド粒子を使用する時に、調製に使用される搬送媒体２４０として、以下に記載される非ポリマー有機材料が用いられてもよい。更に、固形ゾルを再分散させるために用いる時には、固形ゾルを調製するために用いる溶媒としては、任意の溶媒を用いることができる。再分散に用いる搬送媒体２４０としては、以下に記載する非ポリマー有機材料が通常用いられる。
【００５４】
［００５３］可動荷電粒子２３０の体積平均粒子直径は、１〜３００ｎｍ、典型的には２〜５０ｎｍ、より典型的には５〜５０ｎｍである。
【００５５】
［００５４］金属コロイド粒子は、金属の種類、形状、体積平均粒子直径に基づき、種々の色に着色することができる。したがって、金属の種類、形状、及び体積平均粒子直径を制御した可動荷電粒子２３０を使用することにより、数学モデルＬａｂ色空間に応じて、３次元Ｌ（明度）、ａ、及びｂにおけるすべての知覚可能な色の１つを含む様々な色を与えることが可能になる。例えば、知覚可能な色は、黒、白、緑、赤、青、又は黄色でありうる。更に、金属の種類、形状、及び体積平均粒子直径が制御された可動荷電粒子２３０を使用することにより、カメラが光を受け取り、着色される画像を不透明な状態で捕捉することができる電気及び磁気泳動媒体１０２の少なくとも一部が形成される。更に、得られる金属及び金属コロイド粒子の形状及び粒子直径を制御することにより、着色型のプライバシープリケーションデバイス１００が得られる。特定の用途では、可動荷電粒子の色は、プライバシーアプリケーションデバイスが前方に位置付けられる電子デバイスのカバーの色と合わせされてもよい。
【００５６】
［００５５］電気又は磁気泳動媒体１０２の全質量中の可動荷電粒子２３０の含有量（質量％）は、色、特に黒化が、シャッターデバイスの不透明な状態で観察できるようなものである。プライバシーアプリケーションデバイス１００が、前面基板と背面基板との間の間隔に応じて、可動荷電粒子２３０の含有量を調整することは、効果的である。一般に、電気又は磁気泳動媒体１０２の全質量中の可動荷電粒子２３０の含有量（質量％）は、少なくとも０．０００１質量％、典型的には少なくとも０．００１質量％、より典型的には少なくとも０．０１質量％である。また、電気又は磁気泳動媒体１０２の全質量中の可動荷電粒子２３０の含有量（質量％）は、７０質量％以下、典型的には６０質量％以下、より典型的には５０質量％以下である。
【００５７】
［００５６］上記金属コロイド粒子は、例えば、「Ｓｙｎｔｈｅｓｉｓ  ａｎｄ  Ｐｒｅｐａｒａｔｉｏｎ  ｏｆ  Ｍｅｔａｌ  Ｎａｎｏ−Ｐａｒｔｉｃｌｅｓ，Ｃｏｎｔｒｏｌ  Ｔｅｃｈｎｉｑｕｅｓ  ａｎｄ  Ａｐｐｌｉｃａｔｉｏｎ  Ｄｅｖｅｌｏｐｍｅｎｔｓ」（Ｔｅｃｈｎｉｃａｌ  Ｉｎｆｏｒｍａｔｉｏｎ  Ｉｎｓｔｉｔｕｔｅ  Ｃｏ．，Ｌｔｄ．，２００４）に記載の一般的な調製方法によって調製されうる。
【００５８】
［００５７］可動電荷粒子２３０は、表面処理を有することができる。シャッターデバイス２００のセクションＡにほとんどが位置付けられる１つ又は複数の電極に駆動されるときに透明な状態にあるか、シャッターデバイス２００の開孔２６０に相関するシャッターデバイス２００のセクションＢにほとんどが位置付けられる１つ又は複数の電極に駆動されるとき、若しくは搬送媒体２４０中に分散されたままであるときに、不透明な状態にあるかのどちらかで、粒子が圧縮されたフロック状態にありうる場合に、表面処理は、永続的な凝集を防止するのに十分な立体障害（ｓｔｅｒｉｃ  ｈｉｎｄｒａｎｃｅ）を提供すべきである。表面処理の分子サイズは、可動荷電粒子２３０の物理的特性に影響を及ぼす。例えば、可動荷電粒子２３０の粘度及び凝集は、表面処理の分子サイズによって影響されうる。
【００５９】
［００５８］搬送媒体２４０は、非ポリマー有機材料又はポリマー材料を含みうる。上記の金属酸化物又は金属コロイド粒子の搬送媒体２４０として、非ポリマー有機材料が使用されうる。
【００６０】
［００５９］特に、非ポリマー有機材料の典型的な例は、ヘキサン、シクロヘキサン、トルエン、キシレン、デカン、ヘキサデカン、灯油、パラフィン、イソパラフィン、シリコーンオイル、ジクロロエチレン、トリクロロエチレン、ペルクロロエチレン、高純度石油、エチレングリコール、アルコール、エーテル、エステル、ジメチルホルムアミド、ジメチルアセトアミド、ジメチルスルホキシド、Ｎ−メチルピロリドン、２−ピロリドン、Ｎ−メチルホルムアミド、アセトニトリル、テトラヒドロフラン、プロピレンカーボネート、エチレンカーボネート、ベンジン、ジイソプロピルナフタレン、オリーブオイル、イソプロパノール、トリクロロトリフルオロエタン、テトラクロロテトラフルオロエタン、ジブロモテトラフルオロエタン、及びこれらの混合物でありうる。
【００６１】
［００６０］非ポリマー有機材料は、酸、アルカリ、塩、分散安定剤、酸化防止及びＵＶ吸収のための安定剤、抗菌剤、及び保存剤と混合されてもよい。これらの添加物は、体積抵抗を上記範囲に調整するために、適切な範囲で添加されうる。
【００６２】
［００６１］上記の可動荷電粒子２３０（金属酸化物又は金属コロイド粒子）はまた、ポリマー材料中に分散されてもよい。ポリマー材料としては、ポリマーゲルやネットワークポリマーが用いられうる。
【００６３】
［００６２］ポリマー材料の例は、アガロース、アガロペクチン、アミロース、アルギン酸ナトリウム、アルギン酸プロピレングリコールエステル、イソリクナン、インスリン、エチルセルロース、エチルヒドロキシエチルセルロース、カルドラン、カゼイン、カラゲナン、カルボキシメチルセルロース、カルボキシメチルデンプン、カロース、寒天、キチン、及びキトサンなどの天然ポリマー由来のポリマーゲルを含みうる。ポリマー材料の更なる例は、絹フィブロイン、グアーガム、ピルスシドニアシード、クラウンゴール多糖類、グリコーゲン、グルコマンナン、ケラタン硫酸、ケラチンタンパク質、コラーゲン、酢酸セルロース、ジェランガム、シゾフィラン、ゼラチン、植物象牙マンナン、ツニシン、デキストラン、デルマタン硫酸、デンプン、及びガムトラガントを含みうる。更に、ポリマー材料の例はまた、ニゲラン、ヒアルロン酸、ヒドロキシエチルセルロース、ヒドロキシプロピルセルロース、プスツラン（ｐｕｓｔｕｌａｎ）、フノラン（ｆｕｎｏｒａｎ）、分解ヒドロキシグルカン、ペクチン、ポルフィラン、メチルセルロース、メチルデンプン、ラミナラン、リケナン、レンチナン、及びローカストビーンガム（ｌｏｃｕｓｔ  ｂｅｅｎ  ｇｕｍ）を含み、また合成ポリマーの場合、ほぼすべての種類のポリマーゲルを含みうる。
【００６４】
［００６３］更に、実施例は、繰り返し単位で、アルコール、ケトン、エーテル、エステル、及びアミドなどの官能基を含有するポリマーを含みうる。例えば、ポリビニルアルコール、ポリ（メタ）アクリルアミド及び対応する誘導体、ポリビニルピロリドン、ポリエチレンオキシド及びこれらのポリマーを含有するコポリマーも例示される。
【００６５】
［００６４］これらの中でも、生産の安定性、電気泳動性（ｅｌｅｃｔｒｏｐｈｏｒｅｓｉｓ  ｐｒｏｐｅｒｔｙ）の点で、ゼラチン、ポリビニルアルコール、及びポリ（メタ）アクリルアミドが通常用いられる。
【００６６】
［００６５］これらのポリマー材料は、通常、上記の非ポリマー材料と組み合わせて使用されうる。
【００６７】
［００６６］図５から図９は、本開示の他の態様に係るシャッターデバイス２００の概略断面図を示す。
【００６８】
［００６７］したがって、シャッターデバイス２００は、図５から図９に示すように、背面基板２０１、前面基板２０２、及び／又はシール２０４上に、更なる電極２０８、２０９、２１０、及び／又は２１１を含みうる。電極２０５、２０６、２０８、２０９、２１０、及び／又は２１１は、シャッターデバイス２００の異なるセクションに別々に位置付けられてもよく、セクションのうちの１つは、シャッターデバイス２００の開孔２６０と位置合わせされる。例えば、電極２０５、２０８、及び／又は２０９は、シャッターデバイス２００のセクションＡにほとんどが位置付けられてもよい。電極２０５、２０８、及び／又は２０９は、交流電圧を印加することによって、同じ時間間隔及び同じ持続時間で相互接続されうる、及び／又は同じ電荷を有しうる。同様に、電極２０６、２１０、及び／又は２１１は、シャッターデバイス２００の開孔２６０と位置合わせされるシャッターデバイス２００のセクションＢにほとんどが位置付けられてもよい。電極２０６、２１０、及び／又は２１１は、交流電圧を印加することによって、同じ時間間隔及び同じ持続時間で相互接続されうる、及び／又は同じ電荷を有しうる。電極２０５、２０８、及び／又は２０９、並びに電極２０６、２１０、及び／又は２１１のグループの各々は、交流電圧を印加することによって、同じ時間間隔で異なる電荷を有しうる。例えば、電極２０５、２０８、及び／又は２０９に正の電圧が供給される場合、電極２０６、２１０、及び／又は２１１に異なる電圧（例えば、負）が供給されてもよく、又は中性であってもよい。
【００６９】
［００６８］図１０は、本開示の別の態様に係るシャッターデバイス２００の概略断面図を示す。一般に、図１０の７つの電極全体を有する特定の例にのみ示されているが、本明細書に記載のシャッターデバイスは、３つ、４つ、又はそれ以上の電極を含みうる。
【００７０】
［００６９］本開示の少なくとも２つの電極はまた、背面基板２０１、前面基板２０２、及び／又はシール２０４上に、離間した電極として形成されてもよい。離間した電極２１２の数は、例えば、少なくとも２個、典型的には少なくとも４個、より典型的には少なくとも１０個であってもよい。離間した電極２１２は、シャッターデバイス２００の異なるセクションに別々に位置付けられてもよく、セクションの１つは、シャッターデバイス２００の開孔２６０に相関する。例えば、離間した電極２１２は、図１０に示されるように、シャッターデバイス２００のセクションＡ及びＢ内の背面基板２０１上に設けられてもよい。電極２１２は、縞状の透明な導電性材料を含みうる。したがって、電極２１２には、交流電圧を印加することによって、個別に又はグループで、同じ時間間隔で、異なる電荷が提供されうる。例えば、制御は、シャッターデバイス２００のセクションＡに位置付けられた電極２１２に正電荷が供給される場合、シャッターデバイス２００の開孔２６０に位置合わせされる、シャッターデバイス２００のセクションＢに位置付けられた電極２１２に、負電荷又は中性電荷などの異なる電荷が供給されうるようなものとすることができる。
【００７１】
［００７０］上述のように、複数の電極２０５、２０６、２０８、２０９、２１０、２１１、及び／又は２１２に、特定の振幅及び持続時間及びスケジュールで交流電圧を印加することによって、シャッターデバイス２００の開孔２６０に相関するシャッターデバイス２００の少なくとも１つのセクションＢ、したがって、プライバシーアプリケーションデバイス１００は、透明な状態と不透明な状態との間で切り替えることができる。スイッチングプロセスが終了すると、典型的な実施形態では、シャッターデバイスの状態（透明又は不透明など）を維持するように、一定の電圧が電極に印加される。別の状態に切り替わる場合にのみ、可動荷電粒子を別の位置に再び移動させるために、交流電圧が再び印加されうる。
【００７２】
［００７１］図２−１、図２−２及び図２−３は、シャッターデバイスの操作を説明するために、本開示の別の態様に係るシャッターデバイス２００の概略断面図を示す。
【００７３】
［００７２］２つの異なる光学状態（透明な状態及び不透明な状態）は、少なくとも２つの電極に電圧スケジュールを印加することによって、シャッターデバイス２００のセクションＢの内側及び／又は外側に可動荷電粒子２３０を位置付けることによって生成されうる。
【００７４】
［００７３］例えば、先程提示された図２に示される電極の配置を考慮すると、図２−１に示されるように、電極２０５に交流電圧が印加されると、透明な状態が生成されうる。したがって、電極２０５に正電荷を供給し、負電荷が供給された可動荷電粒子２３０を電極２０５に移動させることができる。このようにして、交流電圧を印加することにより、電極２０５に正電荷が供給される限り、可動荷電粒子２３０は、圧縮されたフロック状態で電極２０５に接近して又は電極２０５上に留まりうる。その結果、画像を区別できないようにするために、シャッターデバイス２００の開孔２６０に相関するシャッターデバイス２００の少なくともセクションＢが遮られる。更に、画像を捕捉するのに十分な光を受け取るように、シャッターデバイス２００の開孔２６０に相関するシャッターデバイス２００の少なくともセクションＢを通して、十分な光透過が生じる。
【００７５】
［００７４］一方、図２−２に示すように、電極２０６に異なる電圧が印加されると、不透明な状態が生成されうる。したがって、電極２０６に正電荷を供給し、負電荷が供給された可動荷電粒子２３０を電極２０６に移動させることができる。このようにして、交流電圧を印加することにより、電極２０６に正電荷が供給される限り、可動荷電粒子２３０は、圧縮されたフロック状態で電極２０６に接近して又は電極２０６上に留まりうる。その結果、画像を区別できないようにするために、シャッターデバイス２００の開孔２６０に相関するシャッターデバイス２００の少なくともセクションＢが遮られる。更に、シャッターデバイス２００の少なくともセクションＢでは、十分な光が遮断され、散乱され、及び／又は屈折され、シャッターデバイス２００の開孔２６０に位置合わせされ、その開孔を通して、カメラは、光を受け取り、画像を捕捉することができる。更に、シャッターデバイス２００の少なくともセクションＢを通る色が観察されうる。代替的には、正電荷が供給される電極２０５を生成するために電極２０５に電圧を印加する間に、負電圧を電極２０６に印加することができる。
【００７６】
［００７５］また、図２−３に示されるように、電極２０５及び２０６に電圧が印加されない場合には、不透明な状態が生成されうる。したがって、シャッターデバイス２００では、可動荷電粒子２３０が、搬送媒体２４０中に分散された状態で分布されうる。しかしながら、実施形態によれば、電極２０５及び２０６に電圧が印加されていない場合であっても、十分な光がシャッターデバイス２００内で遮断され、散乱され、及び／又は屈折されるため、後方に位置付けられたカメラが、識別可能な画像を捕捉するために、十分な光及び情報を受け取ることはできない。
【００７７】
［００７６］図１０−１、１０−２、及び１０−３は、本開示の別の態様に係るシャッターデバイス２００の概略図を示す。
【００７８】
［００７７］先程提示された図１０に示した電極の配置を考慮すると、図１０−１に示されるように、シャッターデバイス２００のセクションＡに位置付けられた、離間された電極２１２のグループに電圧が印加されるときに、透明な状態が生成されうる。したがって、シャッターデバイス２００のセクションＡに位置付けられた、離間された電極２１２のグループには、正電荷が供給されうる。よって、負電荷が供給される可動荷電粒子２３０は、シャッターデバイス２００のセクションＡに位置付けられた電極２１２のグループに移動されうる。このようにして、可動荷電粒子２３０は、セクション内に位置付けられた電極２１２のグループの近く又は上に留まりうる。したがって、光を受け取り、画像を捕捉するために、シャッターデバイス２００の少なくともセクションＢを通して十分な光透過を起こすことができるように、シャッターデバイス２００の少なくともセクションＢは妨害されない。
【００７９】
［００７８］一方、図１０−２に示されるように、シャッターデバイス２００のセクションＢに位置付けられた電極２１２のグループに電圧が印加されると、不透明な状態が生成されうる。したがって、シャッターデバイス２００のセクションＢに位置付けられた電極２１２のグループには、正電荷が供給されうる。したがって、負電荷を備えた可動荷電粒子２３０は、セクションＢに位置付けられる離間した電極２１２のグループまで移動しうる。このようにして、セクションＢに位置付けられた電極２１２のグループに電圧が印加される限り、可動荷電粒子２３０は、圧縮されたフロック状態で分散されたシャッターデバイス２００のセクションＢに位置付けられる離間した電極２１２のグループに近接して又はその上に留まりうる。したがって、シャッターデバイス２００の開孔２６０と位置合わせされているシャッターデバイス２００の少なくともセクションＢは遮られる。
【００８０】
［００７９］代替的には、シャッターデバイス２００のセクションＡに位置付けられた電極２１２のグループに正の電圧を印加する間に、セクションＢに位置付けられた電極２１２のグループに負の電圧を印加することができ、その逆も同様である。
【００８１】
［００８０］したがって、電極２１２に個別に電圧が印加される場合に、プライバシーアプリケーションデバイス１００を透明な状態から不透明な状態に及びその逆に切り替えることがまた、段階的に行なわれてもよい。例えば、図１０−１を考慮すると、セクションＡの電極２１２への負電圧の印加は、シール２０４に最も近い電極２１２から開始して行なうことができる。続いて、シールに２番目に近い電極にも負電圧が供給されてもよく、セクションＡの全ての電極が負電荷を有するまでそれが続く。同時に、セクションＢにおいても同様に正電圧の印加を行うことができる。その結果、可動荷電粒子２３０は、セクションＡからセクションＢに漸進的に駆動されうる。
【００８２】
［００８１］また、図１０−３に示されるように、電極２１２に交流電圧が印加されない場合に、また不透明な状態が生成されてもよい。したがって、可動荷電粒子２３０は、シャッターデバイス２００の全てのセクションＡ及びＢにおいて搬送媒体２４０中に均質に分散され、入射光は遮断され、散乱され、及び／又は屈折されうる。
【００８３】
［００８２］透明な状態にある場合、本開示によれば、ヘイズレベルは、典型的には５％未満、２％未満、又は更には１％未満である。低いヘイズレベル（高い透過レベルに対応する）は、カメラ記録中のぼけ効果を最小限に抑える。これにより、光入射の最大化及びコントラストの最適化が可能になる。特に、タブレット、携帯電話などの電気デバイスのカメラ特性は、消費者が特定のデバイスを決定する根本的な理由となりうる。それゆえに、本開示の実施形態で提供される低いヘイズ値は、非常に重要でありうる。
【００８４】
［００８３］少なくとも２つの電極、搬送媒体、前面基板、及び背面基板の各々、又は全ては、少なくとも９０％、典型的には９５％、及びより典型的には９９％の光透過率を有しうる。プライバシーアプリケーションデバイス１００が透明な状態にあるとき、搬送媒体２４０及び電極の屈折率は、ガラス基板又はポリマー基板の屈折率と非常に類似している。プライバシーアプリケーションデバイス１００が不透明な状態にあるとき、シャッターデバイス２００の少なくともセクションＢ（シャッターデバイス２００のこのセクションＢに可動荷電粒子２３０が存在するため、カメラがこれを通して光を受け取り、画像を捕捉することができる）において、光が強く遮断され、散乱され、及び／又は屈折される。したがって、カメラは、区別できない画像又は均質な着色だけしか受け取ることができない。電子デバイスのカメラを通したどんな不正スパイでも防止することができる。
【００８５】
［００８４］図５から図９の電極配置では、シャッターデバイス２００のセクションＡ及び／又はＢに位置付けられた１つ又は複数の電極に駆動されるときに、可動荷電粒子２３０の圧縮されたフロック状態の安定性及び可動荷電粒子２３０の移動度を強化するために、シャッターデバイス２００のセクションＡ及び／又はＢのシール上及び／又は背面基板と前面基板との両方の電極２０８、２０９、２１０、２１１が使用されうる。したがって、可動荷電粒子２３０は、上述したように、電極内に電荷を生成するために電圧を印加することによって、シャッターデバイス２００のセクションＡ及び／又はＢ内に位置付けられたすべての又はいくつかの電極に近い又はいくつかの電極の上に、圧縮されたフロック状態で分散されうる。
【００８６】
［００８５］プライバシーアプリケーションデバイス１００を不透明な状態又は透明な状態に切り替えるとき、印加電圧の振幅は、最大で＋／−８０Ｖの範囲内、典型的には最大で＋／−５０Ｖの範囲内、及びより典型的には最大で＋／−３０Ｖの範囲内でありうる。本明細書で使用される際に、＋／−ｘＶ未満であると言われる電圧は、電圧の絶対値がｘＶ未満であるという仕様と同義である。携帯電話、タブレット、ポータブルコンピュータなどの典型的な電気デバイスは低電圧電力のみを供給するため、低電圧に基づいてシャッターデバイスを制御することは特に有益である。実施形態において、本開示のシャッターは、電気デバイスの電源によって供給される電圧を、電圧変換機要素などのより高い電圧値に変換する必要なしに、操作することができる。
【００８７】
［００８６］本明細書に記載の他の実施形態と組み合わせることができるいくつかの実施形態によれば、電気又は磁気泳動媒体１０２は、空間に閉じ込められることがあり、前面基板と背面基板との間の距離間隔が、約１μｍから１００μｍ、典型的には２μｍから５０μｍ、より典型的には２μｍから２５μｍでありうる。前面基板と背面基板との間の距離間隔が１μｍ未満であると、散乱効果が低減され、十分に不透明な状態を達成することが困難でありうる。
【００８８】
［００８７］本明細書に記載の他の実施形態と組み合わせることができるいくつかの実施形態によれば、シャッターデバイス２００の開孔２６０は、２０００ｍｍ２まで、典型的には４ｍｍ２から２０００ｍｍ２の範囲、及びより典型的には１２ｍｍ２から１００ｍｍ２の範囲の面積を有しうる。シャッターデバイス２００の開孔２６０は、任意の形状、典型的には円形、楕円形、長方形、又は正方形でありうる。本明細書で使用される電極の典型的な幅は、例えば、少なくとも３μｍ、典型的には少なくとも６μｍ、及びより典型的には少なくとも１０μｍでありうる。代替的に又は追加的に、本明細書で使用される電極の典型的な幅は、例えば、１００μｍ未満、典型的には９０μｍ未満、及びより典型的には８０μｍ未満でありうる。
【００８９】
［００８８］図１１は、本明細書に記載の実施形態に係るコントローラユニット３００の概略図を示す。
【００９０】
［００８９］本明細書に記載の他の実施形態と組み合わせることができるいくつかの実施形態によれば、コントローラユニット３００は、マイクロコントローラユニット３０１、電圧変換機要素３０２、及びスイッチング要素３０３を含みうる。コントローラユニット３００は、シャッターデバイス２００、ユーザ操作可能制御部１０６、又は電源３０４のうちの少なくとも１つへの接続を更に含みうる。代替的には、コントローラユニット３００は、シャッターデバイス２００及びユーザ操作可能制御部１０６のうちの少なくとも１つを含みうる。
【００９１】
［００９０］マイクロコントローラユニット３０１は、ＣＰＵ、コントローラユニット３００に含まれる構成要素及び／又はコントローラユニット３００の外部の構成要素と通信するメモリ及び入出力デバイスを含みうる。入出力デバイスは、デジタル−アナログ変換機（ＤＡＣ）、アナログ−デジタル変換機（ＡＤＣ）、及びパルス幅変調器（ＰＷＭ）のうちの少なくとも１つを含みうる。
【００９２】
［００９１］プライバシーアプリケーションデバイスが透明な状態から不透明な状態に切り換えられるために、印加される交流電圧は、電子デバイスによって供給される通常の電圧よりも高いことがある。電圧変換機要素３０２は、電源３０４で受け取った入力電圧を出力電圧に変換するための電気回路を含む。例えば、電圧変換機要素３０２は、ステップアップ変換機を含みうる。電圧変換機３０２に供給される入力電圧は、例えば、２Ｖから２４Ｖの範囲でありうる。電圧変換機要素３０２によって供給される出力交流電圧は、＋／−８０Ｖ未満の範囲でありうる。典型的には、電圧は、＋／−５０Ｖ未満の範囲、より典型的には＋／−３０Ｖ未満の範囲でありうる。電圧変換機要素３０２は、マイクロコントローラユニット３０１、スイッチング要素３０３及び／又は電源３０４に電気的に接続されうる。
【００９３】
［００９２］前述のように、本開示の実施形態では、シャッターデバイス２００は、低電圧で制御することができる。このような状況では、電圧変換機３０２を省略することが可能でありうる。
【００９４】
［００９３］プライバシーアプリケーションデバイスが透明な状態から不透明な状態に切り替えられるために、電圧は、予め定義されたスケジュール及びパターンに従って印加されうる。本明細書で、予め定義されたスケジュール及びパターンは、交流電圧と呼ばれることがある。スイッチング要素３０３は、シャッターデバイス２００の電極に交流電圧を印加するために、電圧変換機要素３０２からの出力交流電圧をスイッチングするための電気スイッチングデバイスを含む。スイッチング要素３０３は、バイポーラ接合トランジスタ（ＢＪＴ）及び電界効果トランジスタ（ＦＥＴ）のうちの少なくとも１つを含みうる。スイッチング要素３０３は、マイクロコントローラユニット３０１、電圧変換機要素３０３、及び／又はシャッターデバイス２００に電気的に接続されうる。マイクロコントローラユニット３０１は、電気又は磁気泳動媒体１０２に印加される交流電圧の振幅及び持続時間の少なくとも１つを制御するために、例えば、パルス幅変調（ＰＷＭ）を用いてスイッチング要素３０３を制御することができる。
【００９５】
［００９４］本明細書に記載の他の実施形態と組み合わせることができるいくつかの実施形態によれば、シャッターデバイス２００は、静電放電（ＥＳＤ）層を含みうる。シャッターデバイス２００を起こりうる静電荷の蓄積から保護するために、ＥＳＤ層は、蓄積された静電荷を、アースに取り付けられうる電極に導くことができる。アースは、シャーシ又はフレームの導電性領域上に位置するアース点でありうる。
【００９６】
［００９５］ＥＳＤ層は、背面基板２０１及び前面基板２０２のうちの少なくとも１つの表面上に堆積されうる。ＥＳＤ層は、堆積材料の１つ又は複数の層をエッチングしてＥＳＤ層を形成するエッチングプロセスで形成されうる。ＥＳＤ層は、物理気相堆積プロセス、典型的にはスパッタ堆積プロセスによって堆積され、セラミック（インジウム−スズ酸化物）又は金属（スズ、銅、銀、金、又はこれらの合金）などの導電性材料を含みうる。ＥＳＤ層は、電気又は磁気泳動媒体１０２と同じ形状又は類似の形状を取り囲むように形成されうる。
【００９７】
［００９６］図１２は、本明細書に記載の更なる実施形態に係るシャッターデバイス５００の概略断面図を示す。
【００９８】
［００９７］本明細書に記載の他の実施形態と組み合わせることができるいくつかの実施形態によれば、シャッターデバイス５００は、少なくとも１つの反射防止層５０３を更に含む。反射防止層５０３を追加することで、特に光透過率を改善することによって、シャッターデバイス５００の光学性能が向上する。背面／前面基板５０１、５０２、電極５０５、５０６、並びにガラス及び反射防止コーティング５０３を含むシャッターデバイス５００は、９２％以上の全透過率をもたらす可能性がある。
【００９９】
［００９８］反射防止層５０３は、背面基板５０１及び前面基板５０２のうちの少なくとも１つに設けられうる。反射防止層５０３は、典型的には、背面基板５０１の外面に設けられてもよい。反射防止層５０３は、物理気相堆積プロセス、典型的にはスパッタ堆積プロセスによって堆積され、セラミック材料を含みうる。例えば、反射防止層５０３は、二酸化ケイ素、窒化ケイ素、酸化チタン、又は酸化ニオブのうちの少なくとも１つを含みうる。反射防止層５０３は、材料の１つの層を含んでもよく、又は材料の２つ以上の層を含んでもよい。
【０１００】
［００９９］図１３は、本明細書に記載の実施形態に係る、カメラ６２１を含む電子デバイス６０２とプライバシーアプリケーションデバイス６０１とを含むシステム６００の概略図を示す。
【０１０１】
［００１００］システム６００において、プライバシーアプリケーションデバイス６０１は、ユーザ６０７とカメラ６２１との間に設けられる。カメラ６２１は、電子デバイス６０２と操作上接続されうる。電子デバイス６０２は、例えば、コンピュータ、携帯電話、タブレット又はゲームコンソールであってもよく、例えば、ビデオ電話、ビデオ記録又は監視のような種々のタスクのためにカメラ６２１からの画像データを記録する。システム６００に、ユーザ６０７とカメラ６２１との間に位置付けられたプライバシーアプリケーションデバイス６０１を提供することにより、ユーザは、プライバシー及びセキュリティを改善するために、使用されていないときにカメラ６２１を遮断し、覆い、又は分からなくすることができる。
【０１０２】
［００１０１］本明細書に記載の他の実施形態と組み合わせることができるいくつかの実施形態によれば、システム６００において、プライバシーアプリケーションデバイス６０１は、電子デバイス６０２から操作上分離６０６されうる。
【０１０３】
［００１０２］プライバシーアプリケーションデバイス６０１及び電子デバイス６０２の操作的分離６０６のために、プライバシーアプリケーションデバイス６０１の任意の形態の操作は、電子デバイス６０２によって許可されないことがある。プライバシーアプリケーションデバイス６０１を電子デバイス６０２から操作的に分離することにより、プライバシーアプリケーションデバイス６０１の（コンピュータウイルスなどによる）無許可の制御が防止され、ユーザ、又はシステム６００が位置する環境の無許可の記録又は視聴が防止され、プライバシー及びセキュリティが改善される。
【０１０４】
［００１０３］本明細書に記載の他の実施形態と組み合わせることができるいくつかの実施形態によれば、プライバシーアプリケーションデバイス６０１は、電源６３０に電気的に接続されうる。電源６３０は、プライバシーアプリケーションデバイス６０１のための専用電源であってもよく、又は、例えば、プライバシーアプリケーションデバイス６０１及び電子デバイス６０２に電力を供給する共有電源であってもよい。
【０１０５】
［００１０４］本明細書に記載の他の実施形態と組み合わせることができるいくつかの実施形態によれば、プライバシーアプリケーションデバイス６０１は、ユーザ６０７によって物理的に操作可能であるだけでもよい。すなわち、プライバシーアプリケーションデバイス６０１は、電子デバイス６０２から操作上分離６０６されうるので、ユーザからの入力の唯一の許容可能な形態は、コントローラユニット６１１に接続されたユーザ操作可能制御部６１２との物理的相互作用を介しうる。
【０１０６】
［００１０５］本明細書に記載の他の実施形態と組み合わせることができるいくつかの実施形態によれば、プライバシーアプリケーションデバイス６０１及び電子デバイス６０２を含むシステム６００の構成要素は、共通のハウジング内に設けられうる。代替的には、プライバシーアプリケーションデバイス６０１は、第１の電子デバイス６０２のハウジングとは別個のハウジング内に設けられてもよく、よって、プライバシーアプリケーションデバイス６０１が取り外され、第２の電子デバイス６０２上に設置されてもよい。
【０１０７】
［００１０６］図１４は、本明細書に記載の実施形態に係る、プライバシーアプリケーションデバイスを操作するための方法７００のフローチャートを示す。方法７００は、本開示に係る装置及びシステムを使用して実施することができる。
【０１０８】
［００１０７］方法７００は、開始７０１から始まり、交流電圧を電気又は磁気泳動媒体７０２に印加することと、印加電圧７０３の振幅及び持続時間のうちの少なくとも１つを制御することと、印加電圧７０４を維持及び／又は除去することとを含む。方法７００は、終了７０５で終了する。
【０１０９】
［００１０８］本明細書に記載の他の実施形態と組み合わせることができるいくつかの実施形態によれば、プライバシーアプリケーションデバイス１００を透明な状態又は不透明な状態に切り替えるときに印加電圧７０３の振幅を制御することは、プライバシーアプリケーションデバイス１００を透明な状態又は不透明な状態に切り替えるために、上述したように選択された電極に電圧を印加することを含みうる。
【０１１０】
［００１０９］交流電圧７０４を除去することによって、プライバシーアプリケーションデバイスは、安定した不透明な状態を維持する。電気又は磁気泳動媒体１０２のこの特性のため、交流電圧を連続的に印加することなく、不透明な状態が維持される。
【０１１１】
［００１１０］以上の記述は、本開示の実施形態を対象としているが、本開示の基本的な範囲から逸脱することなく、本開示の他の実施形態及び更なる実施形態が考案されてもよく、本開示の範囲は下記の特許請求の範囲によって決定される。
【図１】
2021522533.tif 000003
【図２】
2021522533.tif 000004
【図２−１−２−３】
2021522533.tif 000005
【図３】
2021522533.tif 000006
【図４】
2021522533.tif 000007
【図５】
2021522533.tif 000008
【図６】
2021522533.tif 000009
【図７】
2021522533.tif 000010
【図８】
2021522533.tif 000011
【図９】
2021522533.tif 000012
【図１０】
2021522533.tif 000013
【図１０−１−１０−３】
2021522533.tif 000014
【図１１】
2021522533.tif 000015
【図１２】
2021522533.tif 000016
【図１３】
2021522533.tif 000017
【図１４】
2021522533.tif 000018
【手続補正書】
【提出日】令和2年12月25日(2020.12.25)
【手続補正１】
【補正対象書類名】特許請求の範囲
【補正対象項目名】全文
【補正方法】変更
【補正の内容】
【特許請求の範囲】
【請求項１】
プライバシーアプリケーションデバイス（１００、６０１）であって、
電気又は磁気泳動媒体（１０２）、開孔（２６０）、少なくとも２つの電極（２０５、２０６、２０８、２０９、２１０、２１１、２１２、５０５、５０６）を含むシャッターデバイス（２００、５００）と、
コントローラユニット（３００）と
を備え、
前記電気又は磁気泳動媒体（１０２）が可動荷電粒子（２３０）及び搬送媒体（２４０）を含み、透明な状態と不透明な状態との間で切り替え可能なプライバシーアプリケーションデバイス（１００、６０１）。
【請求項２】
前面基板（２０２，５０２）、背面基板（２０１，５０１）、及び少なくとも１つのシール（２０４，５０４）を更に備え、前記電気又は磁気泳動媒体（１０２）が、前記少なくとも１つのシール（２０４，５０４）、前記前面基板（２０２，５０２）、及び前記背面基板（２０１，５０１）によって画定された中断されない空間に囲まれている、請求項１に記載のプライバシーアプリケーションデバイス（１００，６０１）。
【請求項３】
前記少なくとも２つの電極（２０５，２０６，２０８，２０９，２１０，２１１，２１２，５０５，５０６）の各々が、前面基板（２０２，５０２）、背面基板（２０１，５０１）、及び少なくとも１つのシール（２０４，５０４）のうちの少なくとも１つの上に別々に位置付けられる、請求項１又は２に記載のプライバシーアプリケーションデバイス（１００，６０１）。
【請求項４】
前記シャッターデバイスが、少なくとも２つのセクションを備え、前記セクションのうちの１つが、前記シャッターデバイス（２００，５００）の前記開孔（２６０）に隣接して位置付けられる、請求項１から３のいずれか一項に記載のプライバシーアプリケーションデバイス（１００，６０１）。
【請求項５】
前記少なくとも２つの電極（２０５，２０６，２０８，２０９，２１０，２１１，２１２，５０５，５０６）が、前記シャッターデバイス（２００，５００）の異なるセクションに別々に位置付けられる、請求項４に記載のプライバシーアプリケーションデバイス（１００，６０１）。
【請求項６】
前記少なくとも２つの電極（２０５，２０６，２０８，２０９，２１０，２１１，２１２，５０５，５０６）の各々、前記搬送媒体（２４０）、前記前面基板（２０２，５０２）、及び前記背面基板（２０１，５０１）が、典型的には全体で、少なくとも９０％の光透過率を有する、請求項２から５のいずれか一項に記載のプライバシーアプリケーションデバイス（１００，６０１）。
【請求項７】
前記可動荷電粒子（２３０）が着色されている、請求項１から６のいずれか一項に記載のプライバシーアプリケーションデバイス（１００，６０１）。
【請求項８】
前面基板（２０２，５０２）及び背面基板（２０１，５０１）が、セラミック材料及びポリマー材料のうちの１つを含むこと、前記可動荷電粒子（２３０）が、無機材料又はポリマー材料の１つを含むこと、前記搬送媒体（２４０）が、非ポリマー有機材料又はポリマー材料のうちの１つを含むこと、並びに前記少なくとも２つの電極（２０５，２０６，２０８，２０９，２１０，２１１，２１２，５０５，５０６）が、透明な導電性材料を含むことのうちの１つ、２つ又はそれ以上が当てはまる、請求項１から７のいずれか一項に記載のプライバシーアプリケーションデバイス（１００，６０１）。
【請求項９】
前記電気又は磁気泳動媒体（１０２）が、空間に閉じ込められ、前面基板と背面基板との間の距離間隔が、１μｍから１００μｍである、請求項１から８のいずれか一項に記載のプライバシーアプリケーションデバイス（１００，６０１）。
【請求項１０】
前記コントローラユニット（３００）が、
電圧を印加又は除去することによって、前記少なくとも２つの電極（２０５，２０６，２０８，２０９，２１０，２１１，２１２，５０５，５０６）の極性を個別に設定するように構成されたマイクロコントローラユニットユニット（３０１）と、
電圧変換機要素（３０２）と、
スイッチング要素（３０３）と
を備え、
前記スイッチング要素（３０３）が、前記マイクロコントローラユニットユニット（３０１）によって電気的に制御可能である、請求項１から９のいずれか一項に記載のプライバシーアプリケーションデバイス（１００，６０１）。
【請求項１１】
請求項１から１０のいずれか一項に記載のプライバシーアプリケーションデバイス（１００，６０１）を操作するための方法であって、
電圧を印加又は除去することによって、前記少なくとも２つの電極（２０５，２０６，２０８，２０９，２１０，２１１，２１２，５０５，５０６）の極性を個別に設定することと、
前記電圧の振幅及び持続時間のうちの少なくとも１つを制御して、前記プライバシーアプリケーションデバイス（１００，６０１）を透明な状態と不透明な状態との間で切り替えることと
を含む方法。
【請求項１２】
前記電圧の前記振幅が、＋／−８０Ｖ未満の範囲にある、請求項１１に記載の方法。
【請求項１３】
少なくとも１つのカメラユニット（６２１）の前方に光学的に位置付けられたプライバシーシャッターのための、請求項１から１０のいずれか一項に記載のプライバシーアプリケーションデバイス（１００，６０１）の使用。
【請求項１４】
少なくとも１つのカメラユニット（６２１）を備える電子デバイス（６０２）と、
請求項１から１０のいずれか一項に記載のプライバシーアプリケーションデバイス（１００，６０１）と
を備え、
前記プライバシーアプリケーションデバイス（１００，６０１）が、前記少なくとも１つのカメラユニット（６２１）の前方に位置付けられるシステム。
【請求項１５】
前記プライバシーアプリケーションデバイス（１００，６０１）が、前記電子デバイス（６０２）から操作上分離され、ユーザによって物理的にのみ操作可能である、請求項１４に記載のシステム。
【国際調査報告】
2021522533.tif 000019
2021522533.tif 000020
2021522533.tif 000021